【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
マクロ孔質樹脂と、前記樹脂に結合した下記構造式を有する配位子とを含むイオン交換装置：
【化１】
2008514419.tif 000001
（式中、星印の付いた原子は結合位置を示し；Ｎ〜ＯはＺ異性体型又はＥ異性体型を表す結合を示し；Ｘ1及びＸ2は独立してＯ、ＮＲ4及びＳからなる群から選択され；Ｙ1、Ｙ2、Ｙ3、Ｒ1及びＲ4は独立して、水素、アルキル、アリール、置換アルキル及び置換アリールからなる群から選択され；Ｙ1、Ｙ2、Ｙ3のうちの１つは存在せずに、その１つが結合するそれぞれのＸ1、Ｘ2又はＸ3基が前記樹脂に直接結合するか、あるいは、Ｙ1、Ｙ2、Ｙ3のうちの１つが前記樹脂に結合し、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン及び置換ヘテロアリーレンからなる群から選択され；Ｒ1、Ｙ1、Ｙ2、Ｒ4及びＹ3のうちの少なくとも１つは水素を表し；Ｒ1とＹ1の少なくとも一方は水素ではない。）
【請求項２】
前記アルキルがメチル、エチル、プロピル、イソプロピル、ブチル、ｔ−ブチル、アミル又はイソペンチルである、請求項１記載の装置。
【請求項３】
前記置換アリール基がｐ−ニトロフェニル又はｏ−ニトロベンジルである、請求項１記載の装置。
【請求項４】
前記配位子がＥ異性体型である、請求項１記載の装置。
【請求項５】
前記配位子がＺ異性体型である、請求項１記載の装置。
【請求項６】
前記配位子がＹ1を介して前記樹脂に結合し、Ｒ1が水素、アルキル、アリール、置換アルキル及び置換アリールからなる群から選択される、請求項１記載の装置。
【請求項７】
前記配位子がＹ3を介して前記樹脂に結合する、請求項１記載の装置。
【請求項８】
前記配位子がＹ2を介して前記樹脂に結合する、請求項１記載の装置。
【請求項９】
前記Ｘ1及びＸ2のうち、少なくとも一方が酸素である、請求項１記載の装置。
【請求項１０】
前記Ｘ1及びＸ2のうち、少なくとも一方がＮＨである、請求項１記載の装置。
【請求項１１】
下記を含む化合物：
【化２】
2008514419.tif 000002
（式中、Ｒ1、Ｒ2、Ｒ3、Ｒ4、Ｒ5及びＲ6は、水素、アルキル、アリール、置換アルキル及び置換アリールからなる群から選択され；Ｒ1とＲ2の少なくとも一方は水素ではなく；Ｒ5とＲ6の少なくとも一方は水素ではなく；Ｘ1及びＸ2はそれぞれ独立してＯ、ＮＲ7及びＳからなる群から選択され、Ｒ7は水素、アルキル、アリール、置換アルキル又は置換アリールを表し；Ｙはアルキレン、置換アルキレン、アルキリデン、置換アルキリデン、アリーレン又は置換アリーレンからなる群から選択される結合基を示す。）
【請求項１２】
請求項１１記載の化合物に結合した樹脂を含む装置であって、前記Ｙが前記樹脂に結合する置換基をさらに含むことを特徴とする装置。
【請求項１３】
前記樹脂がマクロ孔質樹脂である請求項１２記載の装置。
【請求項１４】
前記樹脂がミクロ孔質樹脂である請求項１２記載の装置。
【請求項１５】
下記を含む化合物：
【化３】
2008514419.tif 000003
（式中、星印の付いた原子は結合位置を示し；Ｘ1、Ｘ2及びＸ3は独立してＯ、ＮＲ3及びＳからなる群から選択され；Ｒ1、Ｒ2、Ｒ3、Ｙ1、Ｙ2、Ｙ3、Ｙ4及びＹ5は独立して、水素、アルキル、アリール、置換アルキル及び置換アリールからなる群から選択され；Ｙ1、Ｙ2、Ｙ3のうちの１つは、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン及び置換ヘテロアリーレンからなる群から選択され；Ｒ1とＹ1の少なくとも一方は水素ではなく；Ｒ1、Ｒ2、Ｙ1、Ｙ2、Ｙ4、Ｙ5のうちの少なくとも１つは水素を表し；Ｒ1とＹ1の少なくとも一方は水素ではない。）
【請求項１６】
請求項１５記載の化合物に、前記Ｙ1、Ｙ2、Ｙ4又はＹ5の１箇所を介して結合した樹脂を含む装置。
【請求項１７】
前記樹脂がマクロ孔質樹脂である請求項１５記載の装置。
【請求項１８】
前記樹脂がミクロ孔質樹脂である請求項１５記載の装置。
【請求項１９】
前記配位子が金属カチオンをシス構造でキレート化する請求項１１又は１５記載の化合物。
【請求項２０】
前記配位子が金属カチオンをトランス構造でキレート化する請求項１１又は１５記載の化合物。
【請求項２１】
前記樹脂が、PS-DVB、Chelex、ポリアミン、アミン変性スチレンジビニルベンゼン、アミノ化フェノール−ホルムアルデヒド樹脂又はアミン変性アクリル樹脂からなる群から選択される、請求項１、１３又は１７のいずれか１項記載の装置。
【請求項２２】
前記樹脂がPS-DVBである請求項２１記載の装置。
【請求項２３】
前記配位子が、Ｃｕ2+、Ｎｉ2+、Ｈｇ2+、Ｃｄ2+、Ｚｎ2+及びＣｏ2+からなる群から選択される金属カチオンをキレート化する請求項１、１３又は１７のいずれか１項記載の装置。
【請求項２４】
ガラス繊維に結合した配位子であって、下記構造を有する配位子：
【化４】
2008514419.tif 000004
（式中、星印の付いた原子は結合位置を示し；Ｎ〜ＯはＺ異性体型又はＥ異性体型を表す結合を示し；Ｘ1及びＸ2は独立してＯ、ＮＲ4及びＳからなる群から選択され；Ｙ1、Ｙ2、Ｙ3、Ｒ1及びＲ4は独立して、水素、アルキル、アリール、置換アルキル及び置換アリールからなる群から選択され；Ｙ1、Ｙ2、Ｙ3のうちの１つは存在せずに、その１つが結合するそれぞれのＸ1、Ｘ2又はＸ3基がガラス繊維に直接結合するか、あるいは、Ｙ1、Ｙ2、Ｙ3のうちの１つが前記配位子をガラス繊維に結合させ、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン及び置換ヘテロアリーレンからなる群から選択され；Ｒ1、Ｙ1、Ｙ2、Ｒ4、Ｙ3のうちの少なくとも１つは水素を表し；Ｒ1とＹ1の少なくとも一方は水素ではない。）
【請求項２５】
水性媒体から金属カチオンを取り除く方法であって、下記構造式を有する配位子が結合するマクロ孔質樹脂に、前記水性媒体を通過させることを含む方法：
【化５】
2008514419.tif 000005
（式中、星印の付いた原子は結合位置を示し；Ｎ〜ＯはＺ異性体型又はＥ異性体型を表す結合を示し；Ｘ1及びＸ2は独立してＯ、ＮＲ4及びＳからなる群から選択され；Ｙ1、Ｙ2、Ｙ3、Ｒ1及びＲ4は独立して、水素、アルキル、アリール、置換アルキル及び置換アリールからなる群から選択され；Ｙ1、Ｙ2、Ｙ3のうちの１つは存在せずに、その１つが結合するそれぞれのＸ1、Ｘ2又はＸ3基が前記樹脂に直接結合するか、あるいは、Ｙ1、Ｙ2、Ｙ3のうちの１つが前記配位子を前記樹脂に結合させ、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン及び置換ヘテロアリーレンからなる群から選択され；Ｒ1、Ｙ1、Ｙ2、Ｒ4、Ｙ3のうちの少なくとも１つは水素を表し；Ｒ1とＹ1の少なくとも一方は水素ではない。）
【請求項２６】
前記金属カチオンがＣｕ2+、Ｎｉ2+、Ｈｇ2+、Ｃｄ2+、Ｚｎ2+及びＣｏ2+からなる群から選択される請求項２５記載の方法。
【請求項２７】
前記水性媒体が発電所からの廃水である、請求項２５記載の方法。
【請求項２８】
マクロ孔質樹脂と、前記樹脂に結合した下記構造式を有する配位子とを含むイオン交換装置：
【化６】
2008514419.tif 000006
（式中、星印の付いた原子は結合位置を示し；Ｎ〜ＯはＺ異性体型又はＥ異性体型を表す結合を示し；Ｘ1、Ｘ2、Ｘ3及びＸ4は独立してＯ、ＮＲ4及びＳからなる群から選択され；Ｘ1が前記樹脂に直接結合し；Ｙ2及びＹ3は独立して、アルキレン、オキシ−アルキレン、アミノ−アルキレン、チオ−アルキレン、アリーレン、置換アリーレン、ヘテロアリーレン及び置換ヘテロアリーレンからなる群から選択され；Ｒ1、Ｒ2、Ｒ3及びＲ4は独立して、水素、アルキル、アリール、置換アルキル及び置換アリールからなる群から選択され；ｎは１〜５である。）
【請求項２９】
ｎ＝１で、かつ、メチレン基が誘導体化されてヒドロキシ−イミノ基を形成している、請求項２８記載の装置。
【手続補正２】
【補正対象書類名】明細書
【補正対象項目名】００２２
【補正方法】変更
【補正の内容】
【００２２】
（式中、星印の付いた原子は結合位置を示し；Ｎ〜ＯはＺ異性体型又はＥ異性体型を表す結合を示し；Ｘ1及びＸ2は独立してＯ、ＮＲ4及びＳからなる群から選択され；Ｙ1、Ｙ2、Ｙ3、Ｒ1及びＲ4は独立して、水素、アルキル、アリール、置換アルキル及び置換アリールからなる群から選択され；Ｙ1、Ｙ2、Ｙ3のうちの１つは存在せずに、その１つが結合するそれぞれのＸ1、Ｘ2、Ｘ3基はガラス繊維、シリコン基質又はメソポーラス相に直接結合するか、あるいは、Ｙ1、Ｙ2、Ｙ3のうちの１つが配位子を樹脂に結合させ、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン及び置換ヘテロアリーレンからなる群から選択され；Ｒ1、Ｙ1、Ｙ2、Ｒ4、Ｙ3のうちの少なくとも１つは水素を表し；Ｒ1とＹ1の少なくとも一方は水素ではない。)
さらに本発明は、水性媒体から金属カチオンを除去する方法を包含し、該方法は、マクロ孔質樹脂に前記水性媒体を通過させる工程を含み、該樹脂には下記構造式の配位子が結合されている：
【手続補正３】
【補正対象書類名】明細書
【補正対象項目名】００４０
【補正方法】変更
【補正の内容】
【００４０】
（式中、星印の付いた原子は結合位置を示し；Ｎ〜ＯはＺ異性体型又はＥ異性体型を表す結合を示し；Ｘ1及びＸ2は独立してＯ、ＮＲ4及びＳからなる群から選択され；Ｙ1、Ｙ2、Ｙ3、Ｒ1及びＲ4は独立して、水素、アルキル、アリール、置換アルキル、置換アリール及び本願明細書記載の他の好適なスペーサー基からなる群から選択され；Ｙ1、Ｙ2、Ｙ3のうちの１つは存在せずに、その１つが結合するそれぞれのＸ1、Ｘ2又はＸ3基はガラス繊維、シリコン基質又はメソポーラス相に直接結合するか、あるいは、Ｙ1、Ｙ2、Ｙ3のうちの１つが配位子を樹脂に結合させ、アルキレン、オキシ−アルキレン、アミノ−アルキレン、チオ−アルキレン、-(CH2)nC(=O)NH-、-(CH2)nC(=O)O-、アリーレン、置換アリーレン、ヘテロアリーレン、置換ヘテロアリーレン及び本願明細書記載の他の好適なスペーサー基からなる群から選択され；Ｒ1、Ｙ1、Ｙ2、Ｒ4、Ｙ3のうちの少なくとも１つは水素を表し；Ｒ1とＹ1の少なくとも一方は水素ではない。）
このような組成物は、産業プロセスから出る廃液をはじめとする液体から、金属イオン、とりわけ重金属イオンを取り除く用途に供される。